(57)【要約】【課題】積層された複数の情報部に対する連続的な記録再生を可能とする。【解決手段】半光透過性の第１の情報部３１Ｍを有する第１の記録体３１と、反射性の第２の情報部３２Ｍを有する第２の記録体３２とを有し、第１の情報部３１Ｍ及び第２の情報部３２Ｍには、回転記録進行方向が一方は外周部から内周部に、他方は内周部から外周部に向かう渦巻状の第１及び第２の記録トラックが同軸的に配置された光学記録媒体を用い、光学記録媒体を一方の方向に回転させた状態で、第１の基板３１Ｓ側から光を照射し、第１及び第２の情報部３１Ｍ及び３２Ｍに対して連続的にデータの記録及び／または再生を行う。【選択図】図１
2006114218.tif 000002
【特許請求の範囲】
【請求項１】
光透過性の第１の基板の一方の面に設けられ、半光透過性の第１の情報部を有する第１の記録体と、第２の基板の一方の面に設けられ、反射性の第２の情報部を有する第２の記録体とを有し、上記第１の情報部及び第２の情報部には、回転記録進行方向において、一方が外周部から内周部に向かい、他方が内周部から外周部に向かう渦巻状の第１及び第２の記録トラックがそれぞれ形成されており、
上記第１の基板の上記第１の情報部が形成された側の面と、上記第２の基板の上記第２の情報部が形成された側の面とが対向するとともに、光硬化型透明樹脂からなる所定の厚さの透明層を介在させてこれら第１及び第２の基板が接合されることにより、上記第１及び第２の記録トラックが同軸的に配置され、これらの各回転記録進行方向が、上記第１の基板側から光を照射した際に光入射面からみて同一の向きとなるように構成された光学記録媒体を用い、
上記光学記録媒体を一方の方向に回転させた状態で、上記第１の基板側から光を照射し、上記第１及び第２の情報部に対してデータの記録及び／または再生を連続的に行う
ことを特徴とする光学記録媒体記録及び／または再生方法。
【請求項２】
上記光学記録媒体は、上記第１及び第２の情報部間の間隔が上記透明層の厚さによって上記第１及び第２の情報部からの反射光に干渉が生じることのない間隔に設定されてなることを特徴とする請求項１記載の光学記録媒体記録及び／または再生方法。
【請求項３】
光透過性の基板の一方の面側に、半光透過性の第１の情報部を有する第１の記録体と、透明層と、反射性の第２の情報部を有する第２の記録体とを有し、
上記第１の情報部及び第２の情報部には、回転記録進行方向において、一方が外周部から内周部に向かい、他方が内周部から外周部に向かう渦巻状の第１及び第２の記録トラックがそれぞれ形成されており、上記第１及び第２の記録トラックが同軸的に配置され、これらの各回転記録進行方向が、上記基板の他方の面側から光を照射した際に光入射面からみて同一の向きとなるように構成された光学記録媒体を用い、
上記光学記録媒体を一方の方向に回転させた状態で、上記基板の他方の面側から光を照射し、上記第１及び第２の情報部に対してデータの記録及び／または再生を連続的に行うことを特徴とする光学記録媒体記録及び／または再生方法。
【発明の詳細な説明】
【技術分野】
【０００１】
本発明は、光学記録媒体記録及び／または再生方法に関する。
【背景技術】
【０００２】
オーディオ用、ビデオ用そのほか各種情報を記録する記録媒体として、その記録もしくは（および）再生を光照射によって行うディスク、カード等の光学記録媒体において、その記録可能な情報量を大とするために、その記録情報面を多層構造とすることが考えられる。
【０００３】
例えば光学ディスクにおいて、図６に示すようにそれぞれ透明基板１Ｓおよび２Ｓの各一方の面に情報部例えば情報記録ピットによる情報記録がなされた情報部１Ｍおよび２Ｍが形成され、これら各情報記録部１Ｍおよび２Ｍ上に、例えばＡｌ蒸着による反射面１Ｒおよび２Ｒが形成された第１の記録体１および第２の記録体２を、その情報部１Ｍおよび２Ｍを有する側の面を互いに対向させて重ね合せ接着剤３によって貼り合わせて構成するものの提案がなされている。
【０００４】
このような光学ディスク等の光学記録媒体においては、第１および第２の情報部１Ｍおよび２Ｍに対してその記録情報の読み出しすなわち再生を行うには、その読み出し光（以下再生光という）の照射を第１の情報部１Ｍに関しては、透明基板１Ｓ側からの再生光１Ｌを照射することによって行い、第２の情報部２Ｍに関しては、透明基板２Ｓ側からの再生光２Ｌを照射することによって行う。つまり、この場合、この光学記録媒体のドライブ装置としては、上述の２層の情報記録部すなわち第１および第２の情報部１Ｍおよび２Ｍに対する再生光学ピックアップを、光学記録媒体の両面に対向してそれぞれ配置する２光学ピックアップ構成とするか、あるいは１つの光学ピックアップに対して、光学ディスクを反転させて、各情報部を選択的に光学ピックアップ側に対向させてその再生を行う方法がとられることになる。
【０００５】
このような構成による場合、２光学ピックアップ構成では装置の大型化、部品点数の増大化、大重量化を免れず、また、１光学ピックアップ構成によるときは、光学ディスクの反転操作を必要とし、また第１と第２の情報部１Ｍおよび２Ｍに対して連続再生を行うようにするために、光学記録媒体の反転を自動化するには、大掛かりな機構が必要となり、同様に装置の大型化、部品点数の増大化、大重量化を免れることができない。
【０００６】
このような不都合を回避するものとして、光学記録媒体の同一側からの光照射によって２層の情報記録部に対する再生を可能にする光学記録媒体の提案がなされた。この光学記録媒体を図７の工程図を参照してその製造方法と共に説明すると、この場合、図７Ａに示すように、記録情報に応じた記録ピットによる第１の情報部２１Ｍが形成された例えばポリカーボネート（以下ＰＣという）等よりなる第１の透明基板２１Ｓを射出成形によって形成する。そして、この情報部２１Ｍにおける所要の透過率と反射率に制御する半透明の光学層２３例えばＳｉＮのスパッタリング層を形成する。そしてこの第１の情報部２１Ｍ上に、紫外線光硬化性樹脂を用いたフォトポリマリゼーション法いわゆる２Ｐ法によって第２の情報部を形成する。すなわち図７Ｃに示すように、透明基板２１Ｓの情報部２１Ｍに紫外線硬化樹脂２４を介して第２の情報部を形成する凹凸パターンを有するスタンパー２５を押圧して、この状態で透明基板２１Ｓ側から紫外線照射を行って紫外線硬化樹脂２４の硬化を行う。その後、図７Ｄに示すように、図７Ｃにおけるスタンパー２５を剥離する。このようにすると、スタンパー２５の凹凸パターンの転写による第２の情報部２２Ｍが紫外線硬化樹脂２４に形成される。この第２の情報部２２上にはＡｌ蒸着膜等の反射膜２６が形成され、更にこれの上に光硬化性樹脂等による保護層２７を被覆する。このようにして、第１および第２の情報部２１Ｍおよび２２Ｍが形成された光学記録媒体を構成するものである。
【０００７】
この構成による光学記録媒体に対する光照射による再生は、透明基板２１Ｓ側の同一側からなされるものであり、図７Ｄに示すように、第１の情報部２１Ｍに対する再生は、透明基板２１Ｓ側から、第１の情報部２１Ｍにフォーカシングさせた再生光２１Ｌを照射して、この第１の情報部２１Ｍからの反射光によって情報の読み出しを行い、同様に第２の情報部２２Ｍに対する再生に関しても、透明基板２１Ｓ側から再生光２２Ｌを第２の情報部２２Ｍにフォーカシングさせた再生光２２Ｌを照射して、この第２の情報部２２Ｍからの反射光によって情報の読み出しを行う。
【０００８】
この構成によれば、一方側からの光照射によって第１および第２の双方の情報記録部に対する再生を行うことができることから、１光学ピックアップ構成とすることができ、また光学記録媒体の反転操作を行う必要が回避されることから、この光学記録媒体のドライブ装置の小型化、軽量化、構成の簡略化、組み立ての簡易化等が図られるという利点を有するものの、このような構成による光学記録媒体においては、一方の情報部２Ｍの形成が２Ｐ法によることから、いわば枚葉的に形成することが必要となり量産性に問題が生じる。
【０００９】
また、情報部を２層構成としても、各層の情報を連続的に読み出し得る構成は提案されておらず、連続記録もしくは再生時間の長時間化を図り難いという問題がある。
【発明の開示】
【発明が解決しようとする課題】
【００１０】
本発明は、上述した点に鑑み、積層された複数の情報部に対する再生もしくは（および）記録のための光照射を連続的に行い得る光学記録媒体記録及び／または再生方法を提供する。
【課題を解決するための手段】
【００１１】
本発明による光学記録媒体記録及び／または再生方法は、光透過性の第１の基板の一方の面に設けられ、半光透過性の第１の情報部を有する第１の記録体と、第２の基板の一方の面に設けられ、反射性の第２の情報部を有する第２の記録体とを有し、上記第１の情報部及び第２の情報部には、回転記録進行方向において、一方が外周部から内周部に向かい、他方が内周部から外周部に向かう渦巻状の第１及び第２の記録トラックがそれぞれ形成されており、第１の基板の第１の情報部が形成された側の面と、第２の基板の第２の情報部が形成された側の面とが対向するとともに、光硬化型透明樹脂からなる所定の厚さの透明層を介在させてこれら第１及び第２の基板が接合されることにより、第１及び第２の記録トラックが同軸的に配置され、これらの各回転記録進行方向が、第１の基板側から光を照射した際に光入射面からみて同一の向きとなるように構成された光学記録媒体を用い、光学記録媒体を一方の方向に回転させた状態で、第1の基板側から光を照射し、第1及び第２の情報部に対してデータの記録及び／または再生を連続的に行う。
【００１２】
また、本発明による他の光学記録媒体記録及び／または再生方法は、光透過性の基板の一方の面側に、半光透過性の第１の情報部を有する第１の記録体と、透明層と、反射性の第２の情報部を有する第２の記録体とを有し、第１の情報部及び第２の情報部には、回転記録進行方向において、一方が外周部から内周部に向かい、他方が内周部から外周部に向かう渦巻状の第１及び第２の記録トラックがそれぞれ形成されており、第１及び第２の記録トラックが同軸的に配置され、これらの各回転記録進行方向が、基板の他方の面側から光を照射した際に光入射面からみて同一の向きとなるように構成された光学記録媒体を用い、光学記録媒体を一方の方向に回転させた状態で、基板の他方の面側から光を照射し、第1及び第２の情報部に対してデータの記録及び／または再生を連続的に行う。
【００１３】
上述の本発明によれば、それぞれ第１の情報部が形成された第１の記録体と、第２の情報部が形成された第２の記録体とが別体に構成されて接合した構成として、第１および第２の情報部が積層された構成とするものであるが、光の入射面側からみて、第１の情報部と第２の情報部の記録トラックを同軸的に配置して構成し、第１の情報部の記録トラックと、第２の情報部の記録トラックの各記録進行方向を同一の向きとし、しかも一方を内周部（中心部）から外周部へと向かわしめ、他方を外周部から内周部へと向かわしめる構成とすることによって、特に各記録トラックを渦巻状とするときは、両情報部に関するその記録もしくは（および）再生を連続的に行うことができるので、その連続記録もしくは（および）再生時間の増大化をはかることができる。
【発明の効果】
【００１４】
本発明の光学記録媒体記録及び／または再生方法によれば、第１の情報部と第２の情報部の記録トラックが同軸的に配置された構成とし、光の入射面側からみて、第１の情報部の記録トラックと、第２の情報部の記録トラックの各記録進行方向を同一の向きとし、しかも一方を内周部（中心部）から外周部へと向かわしめ、他方を外周部から内周部へと向かわしめる構成とすることによって、特に各記録トラックを渦巻状とするときは、両情報部に関するその記録もしくは（および）再生を連続的に行うことができるので、その連続記録もしくは（および）再生時間の増大化をはかることができる。
【００１５】
また、上述したように、それぞれ独別に形成された第１の記録体と第２の記録体との接合構成をとることにより、２Ｐ法による場合に比し、その製造が極めて簡単、量産的となる。また、第１の記録体と第２の記録体との接合構成をとるので、機械的強度の増大化をはかることができ、例えば１．２ｍｍ厚の記録体によって構成する場合はもとより、０．６ｍｍ厚構成をとる場合において、強度の向上をはかることができるとともに、０．６ｍｍ厚構成を１．２ｍｍ構成対応とすることができることからドライブ装置の１．２ｍｍディスクと０．６ｍｍディスクの互換性化を容易にする効果がある。
【発明を実施するための最良の形態】
【００１６】
本発明は、オーディオ用、ビデオ用そのほか各種情報を記録する記録媒体として、その記録もしくは（および）再生を光照射によって行うディスク、カード等の光学記録媒体に適用するものであるが、図１は、本発明を、特に凹凸記録ピットによる情報部が形成され、光照射によってこの情報を読み出すいわゆるＲＯＭ（Read Only Memory)型の光学ディスクに適用した場合の一実施例の概略断面図を示すものである。
【００１７】
本発明による光学記録媒体は、図２にその概略断面図を示すように、光透過性の第１の基板３１Ｓの一方の面に、半光透過性の第１の情報部３１Ｍを有する第１の記録体３１と、図３にその概略断面図を示すように、第２の基板３２Ｓの一方の面に、反射性の第２の情報部３２Ｍを有する第２の記録体３２とが、図１に示すように、第１および第２の情報部３１Ｍおよび３２Ｍを有する側の面を対向させ透明層３３を介して接合された構成とする。
【００１８】
そして、この光学記録媒体、第１および第２の情報部３１Ｍおよび３２Ｍへの、各再生光３１Ｌおよび３２Ｌの入射面を、すなわち図１の例ではそれぞれ凹凸ピットによって記録がなされた各第１および第２の情報部３１Ｍおよび３２Ｍへの、各再生光３１Ｌおよび３２Ｌの入射面を、光学記録媒体（この例では光学ディスク）の第１の記録体３１の、第１の情報部３１Ｍを有する側とは反対側の面、すなわち背面に特定する。
【００１９】
第１の情報部３１Ｍは、上述したように半光透過性に構成するものであるが、その反射率は２０％〜５０％、光透過率は３０％〜８０％とする。
【００２０】
また、第２の情報部３２Ｍは、上述したように反射性に構成するものであるが、その反射率は６０％以上とする。
【００２１】
そして、この光学ディスクにおいて、その第１および第２の情報部の記録トラックは、同軸的に配置され、第１の情報部３１Ｍの回転記録進行方向と、第２の情報部３２Ｍの回転記録進行方向とを、図４にそれぞれ矢印をもって示すように、光入射面側からみて同方向に選定する。
【００２２】
また、第１および第２の情報部の記録トラックは、同様に図４に示すように、同軸的に配置され、その第１の情報部３１Ｍの記録トラックの回転記録進行方向と、第２の情報部３２Ｍの情報記録トラックの回転記録進行方向とが、それぞれ矢印をもって示すように、いづれか一方が外周部から内周部に向かって、他方が内周部から外周部に向かってそれぞれ例えば渦巻状の回転記録進行方向に選定する。
【００２３】
また、本発明による光学記録媒体の製法は、図２にその一例の概略断面図を示すように、光透過性の第１の基板３１Ｓの一方の面に、半光透過性の第１の情報部３１Ｍを有する第１の記録体３１と、図３にその一例の概略断面図を示すように、第２の基板３２Ｓの一方の面に反射性の第２の情報部３２Ｍを有する第２の記録体３２とをそれぞれ別体に作製する。
【００２４】
これら、第１の記録体３１と第２の記録体３２は、図１で示すように、各情報部３１Ｍおよび３２Ｍがそれぞれ凹凸記録ピットによる記録態様を採る場合においては、図５にその一例の概略断面図を示すように、金型４０を用いてＰＣ等の透明樹脂を射出成形することによって形成する。この場合、第１の記録体３１の成形においては、金型４０のキャビティ内に第１の情報部３１Ｍを形成するための情報凹凸パターンが形成されたマスタースタンパー４１が配置されてその成形がなされ、第２の記録体３２の成形においては、金型４０のキャビティ内に第２の情報部３２Ｍを形成するための情報凹凸パターンが形成されたマスタースタンパー４２が配置されて、キャビティ内に透明樹脂例えばＰＣが注入されいわゆる射出成形がなされる。
【００２５】
これらマスタースタンパー４１および４２は、それぞれの情報凹凸パターンが、一方が内周側すなわち中心側から外周側に向かって、かつ時計方向あるいは反時計方向のいずれか一方の回転方向に順次記録がなされたパターンに形成され、他方が上述とは反対に内周側から外周側に向かって、またその回転方向が上述とは反対の回転方向の反時計方向あるいは時計方向のいずれかの方向に順次記録がなされたパターンに形成される。
【００２６】
これらマスタースタンパー４１および４２の形成は、周知の方法によって形成することができる。すなわち、それぞれ例えば鏡面を有するガラス基板上にフォトレジストが塗布され、これに記録情報に応じてオン・オフ等の光変調がなされたレーザ光をガラス基板と相対的に回転させ、かつ半径方向に相対的に移動走査してパターン露光を行う。その後、このフォトレジストを現像してパターン露光に応じた凹凸パターンを形成し、これの上に金属メッキ例えば銀メッキを行ってディスクマスタを作製する。その後このディスクマスタ上にメタル例えばニッケルメッキを施し、上述したディスクマスタの凹凸が反転した凹凸パターンが表面に形成されたメタルマスクを形成し、このメタルマスクの凹凸パターン上に例えばニッケルメッキを行うことによって、メタルマスクの凹凸パターンが反転した凹凸パターンを有するマザーを形成し、更にこれをもとに同様にメッキによってこのマザーの凹凸パターンが反転したマスタースタンパー４１および４２の形成をそれぞれ行う。
【００２７】
そして、上述した各マスタースタンパー４１および４２の形成のための上述した各ガラス基板上のフォトレジストに対する各記録情報に応じたパターン露光は、一方を例えば内周側から外周部に向かいかつ例えば時計方向の回転方向として順次記録情報に応じた露光を行うとき、他方のパターン露光は、外周側から内周部に向かいかつ反時計方向の回転方向として順次記録情報に応じた露光を行う。
【００２８】
上述のようにした作製したマスタースタンパー４１および４２を用いて、射出成形によってそれぞれ第１の情報部３１Ｍが形成された第１の透明基板３１Ｓと、第２の情報部３２Ｍが形成された第２の基板３２Ｓとが成形される。
【００２９】
このようにして形成された第１の情報部３１Ｍ上には、図２に示すように、必要に応じてＳｉＮ、ＳｉＯ２等の半透明膜３４が、蒸着、スパッタリング等によって例えば厚さ１５０Åに形成され、上述したように、この第１の情報部３１Ｍを、反射率が２０％〜５０％、光透過率が３０％〜８０％の反透過性を有する情報部とする。
【００３０】
また、第２の情報部３２Ｍ上には図３に示すように、例えば５００Å程度の厚さの蒸着膜等の形成を行って第２の情報部３２Ｍの反射率が６０％以上の反射性を有する情報部とする。
【００３１】
そして、これら基板３１Ｓおよび３２Ｓを、それぞれ第１の情報部３１Ｍが形成された側と第２の情報部３２Ｍが形成された側とを対向させ、両者間に透明層３３を介在させて接合する。この透明層３３としては、例えば光硬化型透明樹脂例えば紫外線硬化型透明樹脂を、両基板３１Ｓおよび３２Ｓ間に挟み込んで互いに圧着し、第１の透明基板３１Ｓ側から、光例えば紫外線を照射して硬化する。この場合、第１の透明基板３１Ｓ、第１の情報部３１Ｍはこの露光硬化を行う紫外線に関しても透過ないし半透過性を示すものとする。
【００３２】
このようにして、第１および第２の情報部３１Ｍおよび３２Ｍ間の間隔を透明層３３の厚さによって所要の間隔例えば４０μｍに設定して、例えば再生光において各情報部３１Ｍおよび３２Ｍからの反射光に干渉が生じることがない間隔に設定すると同時に両基板すなわち第１の記録体３１と第２の記録体３２との接合を行って目的とする光学記録媒体を作製する。
【００３３】
このようにして、最終的に形成した光学記録媒体は、各第１および第２の情報部３１Ｍおよび４２Ｍの記録トラックを、光入射面からみてすなわち上述の例では基板３１Ｓ側からみて同一の回転記録進行方向をとり、しかも一方が内周部から外周部に向かい、他方が外周部から内周部に向かう記録進行方向をとる構成とする。
【００３４】
これら、第１および第２の情報部の記録トラックは、それぞれ渦巻状とすることもできるし、同心的リング状とすることができる。
【００３５】
また、第１および第２の記録体の各基板３１Ｓおよび３２Ｓは、互いにほぼ同一厚さの例えば１．２ｍｍまたは０．６ｍｍ等とする。このようにするときは、これら基板３１Ｓおよび３２Ｓの接合による光学記録媒体の、周囲温度の影響による熱膨張、収縮に伴う“そり”等の変形の発生を効果的に回避できる。
【００３６】
上述の本発明構成によれば、第１および第２の情報部３１Ｍおよび３２Ｍが重ねて形成された多層構造とされることから、情報容量の増大化をはかることができるものであり、第１の情報部３１Ｍが半光透過性としたことにより、第２の情報部に関しても、第１の情報部３１Ｍへの再生光の照射方向と同方向からの照射によって、その再生光を第２の情報部３２Ｍに到達させることができ、これの反射光を検出することができることからその情報部３１Ｍおよび３２Ｍにおける例えば情報ピットによる干渉の発生によって情報の読み出しを行うことができる。
【００３７】
そして、この場合、上述したように、第１の情報部３１Ｍの反射率を２０％〜５０％、光透過率を３０％〜８０％とし、第２の情報部の反射率を６０％以上とすることによって、第１の情報部３１Ｍに対する読み出し光の光量と、第２の情報部３２Ｍに対する読み出し光の光量とをほぼ同等にすることができるものであり、これによってこれらの情報読み出しの出力を調整するための回路の簡易化をはかることができるものである。
【００３８】
そして、上述したように、第１の情報部３１Ｍと第２の情報部３２Ｍの記録トラックが同軸的に配置された構成とし、光の入射面側からみて、第１の情報部３１Ｍの記録トラックと、第２の情報部３２の記録トラックの各記録進行方向を同一の向きとし、しかも一方を内周部（中心部）から外周部へと向かわしめ、他方を外周部から内周部へと向かわしめる構成とすることによって、特に各記録トラックを渦巻状とするときは、両情報部３１Ｍおよび３２Ｍに関するその記録もしくは（および）再生を連続的に行うことができるので、その連続記録もしくは（および）再生時間の増大化をはかることができる。
【００３９】
尚、上述した例では、第１および第２の情報部３１Ｍおよび３２Ｍが、共に凹凸記録ピットとしたＲＯＭ構成とした光ディスク場合について主として説明したが、これら情報部の記録態様はこれに限られるものではなく、光学的に記録、追記、書き換えが可能の光学記録媒体に適用することができる。また、各情報部３１Ｍおよび３２Ｍは、同一記録、再生態様による情報部とすることもできるし、互いに異なる記録、再生態様による情報部とすることもできる。これら情報部としては、例えば非晶質状態と結晶状態との相変化によって記録がなされ、光学特性を変化させることによってその記録がなされる相変化型記録による情報部構成をとるとか、光磁気記録構成をとることもできるなど種々の態様を採ることができる。
【００４０】
また、上述した例では、第１および第２の記録体３１Ｍおよび３２Ｍの接合によって構成した場合であるが、３以上の記録体の重ね合せ構成とすることもできる。
【００４１】
また、本発明による光学記録媒体およびその製造方法は、ディスクに限られるものではなく、その他カード構成とすることもできるなど上述の例に限られることなく種々の変形変更をとることができる。
【００４２】
尚、本明細書において、光学ピックアップとは、再生ピックアップに限られるものではなく、光学的記録機能を有するものについても指称するものである。
【図面の簡単な説明】
【００４３】
【図１】本発明による光学記録媒体の一例の概略断面図である。
【図２】本発明による光学記録媒体を構成する第１の記録体の一例の概略断面図である。
【図３】本発明による光学記録媒体を構成する第２の記録体の一例の概略断面図である。
【図４】本発明による光学記録媒体の各情報部の記録進行方向の説明図である。
【図５】本発明による光学記録媒体の製法の一例の射出成形金型の断面図である。
【図６】従来の光学記録媒体の概略断面図である。
【図７】Ａは従来の光学記録媒体の製法の一工程の断面図である。Ｂは、従来の光学記録媒体の製法の一工程の断面図である。Ｃは、従来の光学記録媒体の製法の一工程の断面図である。Ｄは、従来の光学記録媒体の製法の一工程の断面図である。
【符号の説明】
【００４４】
３１    第１の記録体
３２    第２の記録体
３１Ｓ  第１の基板
３２Ｓ  第２の基板
３１Ｍ  第１の情報部
３２Ｍ  第２の情報部
３３    透明層
【図１】
2006114218.tif 000003
【図２】
2006114218.tif 000004
【図３】
2006114218.tif 000005
【図４】
2006114218.tif 000006
【図５】
2006114218.tif 000007
【図６】
2006114218.tif 000008
【図７】
2006114218.tif 000009